(57)【要約】【課題】カートリッジ本体の大型化を招くことなく、記録再生装置等に対する誤挿入を防止し得るディスクカートリッジを提供する。【解決手段】上シェル４、およびディスクアクセス用の開口部が形成された下シェル３を有してディスク状情報媒体を収容するカートリッジ本体２を備え、上シェル４は、その中央部領域Ａ１のカートリッジ本体２の厚み方向における高さが挿入方向に対して直交する幅方向の端部領域Ａ２よりも高く形成されると共に、中央部領域Ａ１の高さと等しいかまたは低い高さで厚み方向において突出する少なくとも１つの誤挿入防止用凸部２１（２１Ａ〜２１Ｃ）が端部領域Ａ２に形成されている。【選択図】図２
2007265501.tif 000002
【特許請求の範囲】
【請求項１】
第１シェル、およびディスクアクセス用の開口部が形成された第２シェルを有してディスク状情報媒体を収容するカートリッジ本体を備え、
前記第１シェルは、その中央部領域の前記カートリッジ本体の厚み方向における高さが挿入方向に対して直交する幅方向の端部領域よりも高く形成されると共に、当該中央部領域の高さと等しいかまたは低い高さで前記厚み方向において突出する少なくとも１つの凸部が前記端部領域に形成されているディスクカートリッジ。
【請求項２】
前記凸部は、前記端部領域における前記第１シェルの縁部側に位置する領域に形成されている請求項１記載のディスクカートリッジ。
【請求項３】
前記凸部は、前記端部領域における前記挿入方向に対して中央部に位置する領域に形成されている請求項１または２記載のディスクカートリッジ。
【請求項４】
前記凸部は、前記端部領域における前記挿入方向に対して先端側に位置する領域に形成されている請求項１または２記載のディスクカートリッジ。
【請求項５】
前記凸部は、前記幅方向に沿って長い平面視長方形形状に構成されている請求項１から４のいずれかに記載のディスクカートリッジ。
【発明の詳細な説明】
【技術分野】
【０００１】
本発明は、カートリッジ本体内にディスク状情報媒体が収容されたディスクカートリッジに関するものである。
【背景技術】
【０００２】
記録データの大容量化に伴い、カートリッジケース内に光ディスク等のディスク状情報媒体を収容したディスクカートリッジ対する記録容量の一層の大容量化が望まれている。この場合、ディスク状情報媒体における記録領域の拡大（ディスク状情報媒体の大径化）によって大容量化を図るときには、そのディスク状情報媒体を収容するためのカートリッジケースの大型化に起因してディスクカートリッジの携帯性や収納性が悪化する。したがって、既存のディスクカートリッジにおけるカートリッジケースの形状や大きさを維持しつつ、ディスク状情報媒体の記録密度の向上やデータ記録層の多層化を図ることにより、カートリッジケースの大型化を招くことなく記録容量を大容量化するのが好ましい。
【０００３】
しかしながら、既存のディスクカートリッジと、このディスクカートリッジと形状および大きさが同様の新規格のディスクカートリッジとでは、ディスク状情報媒体に対する記録データの記録方法が相違する（記録密度や記録層の数が相違する）。したがって、既存のディスクカートリッジに対する記録再生が可能に構成されている既存の記録再生装置では、新規格のディスクカートリッジに対する記録再生ができないにも拘わらず、カートリッジケースの形状および大きさが同様であることに起因して、新規格のディスクカートリッジが誤って挿入されるおそれがある。
【０００４】
この場合、この種の記録再生装置（例えば、ビデオカメラ）では、挿入されたディスクカートリッジ内のディスク状情報媒体に対するディスクアクセス時において、そのディスク状情報媒体のディスク種別をチェックする。したがって、既存の記録再生装置に新規格のディスクカートリッジが挿入されたときには、ディスク種別のチェック結果がディスクエラーメッセージとして表示されるため、このメッセージによって誤挿入を認識することが可能となっている。しかしながら、ディスクアクセス時にディスク状情報媒体から種別情報を読み出してディスク種別をチェックする場合、ディスクカートリッジの挿入からディスクエラーメッセージの表示までに長時間を要する。このため、例えば既存のビデオカメラによる撮影（録画）の開始直前にディスクカートリッジをセットする際に新規格のディスクカートリッジを誤挿入したときには、正しいディスクカートリッジに入れ替えを完了するまでに非常に長い時間を要することとなる。この結果、撮影すべき重要なシーンを撮り逃すおそれがある。
【０００５】
一方、特開２００１−３５７６５０号公報には、上記の例における新規格のディスクカートリッジのカートリッジケースに誤挿入防止用の凹部および凸部を形成することにより、記録データの記録再生が不能な既存の記録再生装置に対するディスクカートリッジの挿入自体を阻止する構成が開示されている。具体的には、新規格のディスクカートリッジにおけるカートリッジ本体（本体ケース）には、記録再生装置等に対する挿入方向の先端部側に誤挿入防止用の凹部が形成されると共に、挿入方向に対して直交する幅方向の両側壁のうちの一方に誤挿入防止用の凸部が側方に突出するようにして形成されている。この場合、この新規格のディスクカートリッジに対する記録再生が可能な新規格の記録再生装置では、誤挿入防止用の凹部に係合可能な凸部と、誤挿入防止用の凸部の進入を許容する凹部とがカートリッジホルダに形成されている。
【０００６】
これに対して、既存のディスクカートリッジでは、上記の誤挿入防止用の凹部や凸部が形成されていない。このため、この既存のディスクカートリッジに対してのみ記録再生が可能に構成されている既存の記録再生装置のカートリッジホルダには、誤挿入防止用の凹部に係合可能な凸部と、誤挿入防止用の凸部の進入を許容する凹部と存在しない。したがって、新規格のディスクカートリッジを既存の記録再生装置に装填しようとしたときには、カートリッジ本体に形成されている誤挿入防止用の凸部がカートリッジホルダに当接する結果、誤挿入が阻止される。一方、既存のディスクカートリッジを新規格の記録再生装置に装填しようとしたときには、カートリッジホルダに形成されている凸部がカートリッジ本体の先端部に当接する結果、誤挿入が阻止される。
【特許文献１】特開２００１−３５７６５０号公報（第２−４頁、第１−５図）
【発明の開示】
【発明が解決しようとする課題】
【０００７】
ところが、従来のディスクカートリッジには、以下の問題点がある。すなわち、従来のディスクカートリッジでは、カートリッジ本体の側壁に誤挿入防止用の凸部を形成することにより、このディスクカートリッジが既存の記録再生装置に誤挿入される事態を回避するように構成されている。しかし、従来のディスクカートリッジでは、側壁に形成した凸部の存在により、既存のディスクカートリッジと比較して、カートリッジ本体の最大幅が凸部の突出長の分だけ広くなっている（カートリッジ本体が大型化している）。したがって、この新規格のディスクカートリッジを収容するための収容ケースを既存のディスクカートリッジ用の収容ケースよりも一回り大きく形成する必要が生じる。このため、例えば、既存のディスクカートリッジ用の収容ケースと新規格のディスクカートリッジ用の収容ケースとを棚に並べて保管する際に、その美観が著しく悪化するという問題点がある。
【０００８】
また、最大幅の差異に起因して、既存のディスクカートリッジを収容可能に形成された収容ラック（一例として、ディスクカートリッジの幅方向の両端部を把持するタイプの収容ラック）に既存のディスクカートリッジよりも幅が広い新規格のディスクカートリッジを挿入することができないと共に、収容ラックを新規格のディスクカートリッジに適合させた場合には、新規格のディスクカートリッジよりも幅が狭い既存のディスクカートリッジを把持させることが困難となるおそれがある。
【０００９】
本発明は、かかる問題点に鑑みてなされたものであり、カートリッジ本体の大型化を招くことなく、記録再生装置等に対する誤挿入を防止し得るディスクカートリッジを提供することを主目的とする。
【課題を解決するための手段】
【００１０】
上記目的を達成すべく本発明に係るディスクカートリッジは、第１シェル、およびディスクアクセス用の開口部が形成された第２シェルを有してディスク状情報媒体を収容するカートリッジ本体を備え、前記第１シェルは、その中央部領域の前記カートリッジ本体の厚み方向における高さが挿入方向に対して直交する幅方向の端部領域よりも高く形成されると共に、当該中央部領域の高さと等しいかまたは低い高さで前記厚み方向において突出する少なくとも１つの凸部が前記端部領域に形成されている。
【００１１】
また、本発明に係るディスクカートリッジは、前記凸部は、前記端部領域における前記第１シェルの縁部側に位置する領域に形成されている。
【００１２】
さらに、本発明に係るディスクカートリッジは、前記凸部は、前記端部領域における前記挿入方向に対して中央部に位置する領域に形成されている。
【００１３】
また、本発明に係るディスクカートリッジは、前記凸部は、前記端部領域における前記挿入方向に対して先端側に位置する領域に形成されている。
【００１４】
さらに、本発明に係るディスクカートリッジは、前記凸部は、前記幅方向に沿って長い平面視長方形形状に構成されている。
【発明の効果】
【００１５】
本発明に係るディスクカートリッジによれば、その中央部領域の高さが端部領域よりも高くなるように第１シェルを形成すると共に、中央部領域の高さと等しいかまたは低い高さで厚み方向において突出する少なくとも１つの凸部を端部領域に形成したことにより、本発明に係るディスクカートリッジのカートリッジ本体と形状や大きさが同様であって本発明における凸部が形成されていないカートリッジ本体を有するディスクカートリッジのみに対応している記録再生装置に対して、本発明に係るディスクカートリッジを挿入しようとしても、凸部が記録再生装置の案内部に当接して（引っ掛かりが生じて）挿入が阻止される。したがって、ディスク状情報媒体に対する記録再生が行えない上記の記録再生装置に対してディスクカートリッジが誤って挿入される事態を確実に回避することができる。また、ディスク状情報媒体から種別情報を読み出してディスク種別をチェックするのとは異なり、記録再生装置に対するディスクカートリッジの挿入時において誤挿入を瞬時に認識させることができる。したがって、誤挿入しようとしたディスクカートリッジに代えて、その記録再生装置（例えば、ビデオカメラ）によって記録再生が可能なディスクカートリッジを速やかにセットすることができるため、撮影（録画）すべき重要なシーンを撮り逃すことなく、そのシーンの冒頭から確実に撮影することができる。さらに、凸部の高さが第１シェルの中央部領域の高さと等しいかまたは低い高さであるため、この凸部の存在に起因してカートリッジ本体が大型化する事態を回避することができる。したがって、カートリッジ本体に凸部が形成されているディスクカートリッジと、凸部が形成されていないディスクカートリッジとにおいて、収容ケースや収容ラックを共用することができる。
【００１６】
また、本発明に係るディスクカートリッジによれば、端部領域における第１シェルの縁部側に位置する領域に凸部を形成したことにより、ディスクカートリッジ等を挿入方向に案内する案内部に凸部が確実に当接する結果、本発明における凸部が形成されていないディスクカートリッジのみに対応している記録再生装置に対して本発明に係るディスクカートリッジが誤って挿入される事態を一層確実に回避することができる。
【００１７】
さらに、本発明に係るディスクカートリッジによれば、端部領域における挿入方向に対して中央部に位置する領域に凸部を形成したことにより、ディスクカートリッジの挿入時にある程度押し込んだ状態において凸部が記録再生装置の案内部に当接するため、挿入方向や挿入姿勢の誤りに起因してディスクカートリッジを挿入できないのではなく、記録再生が不可のディスクカートリッジを挿入したことを認識させることができる。
【００１８】
また、本発明に係るディスクカートリッジによれば、端部領域における挿入方向に対して先端側に位置する領域に凸部を形成したことにより、ディスクカートリッジを記録再生装置に挿入しようとしたときに、挿入直後に凸部が案内部に当接する結果、端部領域における挿入方向に対して中央部に位置する領域や後端側に位置する領域に凸部を形成した構成と比較していち早く誤挿入を認識させることができる。
【００１９】
さらに、本発明に係るディスクカートリッジによれば、幅方向に沿って長い平面視長方形形状となるように凸部を構成したことにより、記録再生装置毎に案内部の形状や押さえの位置等が僅かに相違していたとしても、ディスクカートリッジの挿入時に凸部を押さえに対して確実に当接させることができる。したがって、ディスクカートリッジの誤挿入を確実に回避することができる。また、ディスクカートリッジの外観を見ただけで凸部が形成されていないタイプのディスクカートリッジとは相違するタイプの情報媒体であることを認識させることができる。
【発明を実施するための最良の形態】
【００２０】
以下、添付図面を参照して、本発明に係るディスクカートリッジの最良の形態について説明する。
【００２１】
最初に、ディスクカートリッジ１の構成について、図面を参照して説明する。
【００２２】
図１〜３に示すディスクカートリッジ１は、各種記録データの記録および再生が可能に構成されたカートリッジ式の情報媒体であって、カートリッジ本体２、ディスクトレイ５、シャッタ部材６およびロック部材７などを備えてカートリッジ本体２内に光ディスク９が収納されて構成されている。この場合、光ディスク９は、一例として、片面仕様の書き換え型のディスク状情報媒体（ディスク状情報記録媒体）であって、その中心部には、記録再生装置にクランプさせるための直径１５ｍｍ程度の中心孔（図示せず）が形成されている。この光ディスク９は、図１，３に示す矢印Ｉの向き（本発明における挿入方向）でディスクカートリッジ１が記録再生装置に挿入された状態において、カートリッジ本体２の上シェル４に取り付けられた円板状のクランピングプレート（図示せず）が記録再生装置によって引き寄せられることによって記録再生装置にクランプされる。一方、図１，２に示すように、カートリッジ本体２は、互いに嵌合可能に（重ね合わせが可能に）形成された下シェル３および上シェル４を備えている。
【００２３】
下シェル３は、本発明における第２シェルに相当し、一対の下シェル本体１１ａ，１１ｂを備えて、一例として、ポリカーボネート（または、ＡＢＳ樹脂等）を用いて射出成形されている。この下シェル３は、上シェル４に嵌合させた状態（上シェル４に重ね合わせて一体化させた状態）において、両下シェル本体１１ａ，１１ｂの間にディスクアクセス用の開口部１５が形成されるように構成されている。この場合、開口部１５は、記録データの記録再生時において、カートリッジ本体２内の光ディスク９に対するディスクアクセス（記録再生装置によるクランプや、光学ヘッドを介してのレーザービームの照射等）が可能となるようにその開口幅および開口長等が規定されている。
【００２４】
具体的には、図１に示すように、開口部１５は、下シェル３の一方の外縁部（同図における手前側の縁部）から中心部を挟んで対向する他方の外縁部（同図における奥側の縁部）に亘る帯状となるように形成されている。これにより、開口部１５は、カートリッジ本体２内に収容された状態の光ディスク９における中心孔の周囲を含む中心部領域を挟んで互いに対向する一対の外縁部領域間に亘る帯状の領域を露出可能な形状および大きさとなっている。この構成により、このディスクカートリッジ１では、２つの光学ヘッドを同時に用いて光ディスク９に対する記録データの記録および再生を行うことが可能となっている。また、両下シェル本体１１ａ，１１ｂの裏面側（カートリッジ本体２の内面側）には、シャッタ部材６のスリット（図示せず）に挿入されて、ディスクトレイ５の回動に伴ってシャッタ部材６をスライドさせるための回動用凸部（図示せず）がそれぞれ形成されている。
【００２５】
上シェル４は、本発明における第１シェルに相当し、一例として、透過性を有するポリカーボネートを用いて射出成形されている。また、図２に示すように、このディスクカートリッジ１では、上シェル４における幅方向（上記の挿入方向に対して直交する方向）の端部領域Ａ２よりも、中央部領域Ａ１の一部（図３における領域Ａ１ｂ）の方がカートリッジ本体２の厚み方向（同図における上下方向）において高くなるように形成されている。具体的には、図３に示すように、中央部領域Ａ１のうちの挿入方向における先端部側の領域Ａ１ａの高さが端部領域Ａ２と同じ高さ（すなわち、端部領域Ａ２と領域Ａ１ａとが面一）で、かつ中央部領域Ａ１のうちの挿入方向における後端部側および中央部側の領域Ａ１ｂ（同図において網線で塗り潰した領域）の高さが端部領域Ａ２および領域Ａ１ａの高さよりも高くなるように形成されている。この場合、上シェル４内面（カートリッジ本体２の内側）における中央部には、リング状の取付け部材（図示せず）によってクランピングプレートが取り付けられている。したがって、このディスクカートリッジ１では、上シェル４における中央部領域Ａ１のうちの領域Ａ１ｂをカートリッジ本体２の厚み方向で外向きに突出させることで、カートリッジ本体２の内部にクランピングプレートや取付け部材を位置させる空間を形成しつつ、ディスクカートリッジ１の美観を向上させている。
【００２６】
また、上シェル４における端部領域Ａ２のうちの一方（挿入方向の手前側から見て左側、つまり図３において左側の端部領域Ａ２）には、カートリッジ本体２の厚み方向において外側に突出し、かつ幅方向に沿って長い平面視長方形形状のリブで構成された誤挿入防止用凸部２１が形成されている。この場合、誤挿入防止用凸部２１は、本発明における凸部に相当し、その高さが上記の領域Ａ１ａと等しい高さ（「中央部領域の高さと等しいかまたは低い高さ」の一例）となるように形成されている。また、このディスクカートリッジ１では、ディスクカートリッジ１の挿入方向における中央部領域Ａｂ（本発明における「中央部の領域」の一例）であって、かつ、上シェル４の縁部領域Ａ２ａ（本発明における「縁部側の領域」の一例）に上記の誤挿入防止用凸部２１が形成されている。この場合、後述するように、ディスクカートリッジ１に対する記録再生が可能に構成された記録再生装置にディスクカートリッジ１を挿入したときには、記録再生装置の案内部５１（図６参照）がこの縁部領域Ａ２ａに接触しつつディスクカートリッジ１を所定の記録再生位置に案内する。
【００２７】
ディスクトレイ５は、光ディスク９を載置可能な浅皿状に形成されると共に、下シェル３の開口部１５と同様の大きさ、同様の形状の開口部（図示せず）が形成されて、光ディスク９と共にカートリッジ本体２内に回動可能に収容されている。この場合、ディスクトレイ５の側板には、記録再生装置のシャッタ開閉手段が噛合可能な噛合用歯部（図示せず）が形成されている。さらに、ディスクトレイ５の側板には、光ディスク９に対するディスクアクセスを規制している常態においてロック部材７（図１参照）が係合してカートリッジ本体２に対する回動を規制するための切り欠きや、記録再生装置のシャッタ開閉手段が係合してディスクトレイ５を回動させるための切り欠きなどが形成されている。また、ディスクトレイ５における底板の下面（光ディスク９が載置される側の面に対する裏面）には、シャッタ部材６を軸支するための支持軸（図示せず）が形成されている。この支持軸は、ディスクトレイ５の射出成形時において底板と一体的に成形されて、シャッタ部材６を回動可能に軸支する。
【００２８】
シャッタ部材６は、ディスクトレイ５の支持軸を挿通可能な軸受孔（図示せず）と、下シェル３の回動用凸部を挿通可能なスリット（図示せず）とが形成されて、図３に示すように、全体として平板状に形成されている。このシャッタ部材６は、支持軸を軸受孔に挿通させるようにしてディスクトレイ５に対して回動可能に軸支された状態で、下シェル３とディスクトレイ５との間に挟み込まれるようにしてカートリッジ本体２内に収容されている。
【００２９】
一方、図４に示すディスクカートリッジ１ｘは、上記のディスクカートリッジ１とカートリッジ本体２ｘの形状や大きさが同様で、光ディスク９とは記録データの記録方法が相違する（記録密度や記録層の数が相違する）光ディスク（図示せず：以下、この光ディスクを「光ディスク９ｘ」ともいう）がカートリッジ本体２ｘ内に収容されている。この場合、このディスクカートリッジ１ｘのカートリッジ本体２ｘは、上シェル４ｘに誤挿入防止用凸部２１が形成されていない点を除き、ディスクカートリッジ１のカートリッジ本体２とほぼ同様に構成されている。したがって、ディスクカートリッジ１ｘにおいてディスクカートリッジ１と同一の機能を有する構成要素については、同一の符号を付して重複する説明を省略する。
【００３０】
次に、ディスクカートリッジ１，１ｘの使用方法について、図面を参照して説明する。
【００３１】
ディスクカートリッジ１，１ｘに対する記録データの記録や再生に際しては、例えば、記録再生装置の挿入口（図示せず）にディスクカートリッジ１，１ｘを挿入する。この際に、挿入されたディスクカートリッジ１，１ｘは、一例として、記録再生装置のローディング機構によって装置内部に引き込まれる。この場合、この種のディスクカートリッジに対する記録再生が可能に構成された記録再生装置では、ディスクカートリッジの幅方向における両端部（ディスクカートリッジの両側壁、および図３に示す縁部領域Ａ２ａに相当する領域）に接触しつつディスクカートリッジを記録再生位置（または、排出位置）に案内する案内部が配設されている。具体的には、ディスクカートリッジ１ｘのみに対応している記録再生装置には、図４，５に示す案内部６１ｘが配設され、ディスクカートリッジ１，１ｘの双方に対応している記録再生装置には、図６，７に示す案内部５１が配設されている。
【００３２】
この場合、案内部６１ｘは、ディスクカートリッジ１ｘ（カートリッジ本体２ｘ）の下面（下シェル３）および上面（上シェル４ｘ）における幅方向の縁部に接触可能な一対の押さえ６２ｘを備えて記録再生装置内に配置されている。この案内部６１ｘでは、両押さえ６２ｘ間の距離がディスクカートリッジ１ｘ（カートリッジ本体２ｘ）における端部領域Ａ２の厚みとほぼ等しくなるように規定されている。一方、案内部５１は、ディスクカートリッジ１（カートリッジ本体２）の下面（下シェル３）および上面（上シェル４）における縁部に接触可能な一対の押さえ５２を備えて記録再生装置内に配置されている。この案内部５１では、両押さえ５２間の距離がディスクカートリッジ１，１ｘ（カートリッジ本体，２ｘ）における端部領域Ａ２の厚みとほぼ等しくなるように規定されると共に、上シェル４に接触させられる押さえ５２には、誤挿入防止用凸部２１の通過を許容する逃げ５２ａが形成されている。
【００３３】
まず、ディスクカートリッジ１ｘのみに対応している記録再生装置にディスクカートリッジ１ｘを挿入したときには、図４に示すように、案内部６１ｘの両押さえ６２ｘがカートリッジ本体２ｘの下面および両面に接触して、ディスクカートリッジ１ｘをその厚み方向（同図における上下方向）において遊びをもってがたつかせることなく摺動させつつ挿入方向（同図における手前方向）に案内する。この結果、記録再生装置のシャッタ開閉手段（図示せず）によってディスクトレイ５が回動させられるのに伴い、シャッタ部材６がディスクトレイ５に対して回動させられる。これにより、開口部１５が開口されてカートリッジ本体２ｘ内の光ディスク９ｘに対するディスクアクセスが許容される。
【００３４】
一方、この記録再生装置にディスクカートリッジ１を挿入しようとしたときには、図５に示すように、両押さえ６２ｘのうちの上側の押さえ６２ｘに上シェル４の誤挿入防止用凸部２１が当接する結果、記録再生装置内へのディスクカートリッジ１の挿入が阻止される。この結果、開口部１５が閉塞されてカートリッジ本体２内の光ディスク９に対するディスクアクセスが規制された状態が維持される。この場合、このディスクカートリッジ１では、ディスクカートリッジ１の挿入方向における中央部領域Ａｂに誤挿入防止用凸部２１が形成されている。したがって、記録再生装置に対してディスクカートリッジ１をある程度押し込んだ後に、誤挿入防止用凸部２１が押さえ６２ｘに当接して、それ以上奥深くまで挿入される事態が回避される。
【００３５】
これに対して、例えば、記録再生装置に対する挿入方向を誤って逆向き（後ろ向き）に挿入しようとしたときや、記録再生装置に対する挿入姿勢を誤って表裏反転させた状態において挿入しようとしたときには、記録再生装置に対するディスクカートリッジ１の挿入を開始した直後にディスクカートリッジ１が内部機構に当接して（引っ掛かりが生じて）、それ以上の挿入が阻止される。したがって、記録再生装置に対してある程度押し込んでそれ以上の挿入が阻止されたときには、挿入方向や挿入姿勢の誤りに起因してディスクカートリッジ１を挿入できないのではなく、記録再生が不可のディスクカートリッジを挿入したことを認識させることが可能となる。
【００３６】
また、ディスクカートリッジ１，１ｘの双方に対応している記録再生装置にディスクカートリッジ１を挿入したときには、図６に示すように、案内部５１の両押さえ５２がカートリッジ本体２の下面および両面に接触して、ディスクカートリッジ１をその厚み方向（同図における上下方向）において遊びをもってがたつかせることなく摺動させつつ挿入方向（同図における手前方向）に案内する。この場合、この案内部５１では、カートリッジ本体２の上面に接触する側の押さえ５２に逃げ５２ａが形成されているため、前述した案内部６１ｘを有する記録再生装置にディスクカートリッジ１を挿入したときとは異なり、押さえ５２に対する誤挿入防止用凸部２１の当接が回避されて、ディスクカートリッジ１を十分に奥深くまで挿入することが可能となっている。この結果、記録再生装置のシャッタ開閉手段（図示せず）によってディスクトレイ５が回動させられるのに伴い、シャッタ部材６がディスクトレイ５に対して回動させられる。これにより、開口部１５が開口されてカートリッジ本体２内の光ディスク９に対するディスクアクセスが許容される。
【００３７】
一方、ディスクカートリッジ１，１ｘの双方に対応している記録再生装置に誤挿入防止用凸部２１が形成されていない上記のディスクカートリッジ１ｘを挿入したときには、図７に示すように、案内部５１の両押さえ５２がカートリッジ本体２の下面および両面に接触して、ディスクカートリッジ１をその厚み方向（同図における上下方向）において遊びをもってがたつかせることなく摺動させつつ挿入方向（同図における手前方向）に案内する。この結果、記録再生装置のシャッタ開閉手段（図示せず）によってディスクトレイ５が回動させられるのに伴い、シャッタ部材６がディスクトレイ５に対して回動させられる。これにより、開口部１５が開口されてカートリッジ本体２ｘ内の光ディスク９ｘに対するディスクアクセスが許容される。
【００３８】
このように、このディスクカートリッジ１によれば、その中央部領域Ａ１（領域Ａ１ａ）の高さが端部領域Ａ２よりも高くなるように上シェル４を形成すると共に、中央部領域Ａ１（領域Ａ１ａ）の高さと等しいかまたは低い高さ（この例では、等しい高さ）で厚み方向において突出する少なくとも１つの誤挿入防止用凸部２１を端部領域Ａ２に形成したことにより、ディスクカートリッジ１のカートリッジ本体２と形状や大きさが同様であって誤挿入防止用凸部２１が形成されていないカートリッジ本体（上記の例におけるカートリッジ本体２ｘ）を有するディスクカートリッジ（この例では、ディスクカートリッジ１ｘ）のみに対応している記録再生装置に対して、ディスクカートリッジ１を挿入しようとしても、誤挿入防止用凸部２１が案内部６１ｘに当接して（引っ掛かりが生じて）挿入が阻止される。したがって、光ディスク９に対する記録再生が行えない上記の記録再生装置に対してディスクカートリッジ１が誤って挿入される事態を確実に回避することができる。また、ディスク状情報媒体から種別情報を読み出してディスク種別をチェックするのとは異なり、記録再生装置に対するディスクカートリッジの挿入時において誤挿入を瞬時に認識させることができる。したがって、誤挿入しようとしたディスクカートリッジに代えて、その記録再生装置（例えば、ビデオカメラ）によって記録再生が可能なディスクカートリッジを速やかにセットすることができるため、撮影（録画）すべき重要なシーンを撮り逃すことなく、そのシーンの冒頭から確実に撮影することができる。さらに、誤挿入防止用凸部２１の高さが上シェル４の中央部領域Ａ１（領域Ａ１ａ）の高さと等しいかまたは低い高さであるため、この誤挿入防止用凸部２１の存在に起因してカートリッジ本体２が大型化する事態を回避することができる。したがって、誤挿入防止用凸部２１が形成されているディスクカートリッジ１と、誤挿入防止用凸部２１が形成されていないディスクカートリッジ１ｘとにおいて、収容ケースや収容ラックを共用することができる。
【００３９】
また、このディスクカートリッジ１によれば、端部領域Ａ２における上シェル４の縁部側に位置する縁部領域Ａ２ａに誤挿入防止用凸部２１を形成したことにより、ディスクカートリッジ１等を挿入方向に案内する案内部６１ｘに誤挿入防止用凸部２１が確実に当接する結果、上記の記録再生装置に対してディスクカートリッジ１が誤って挿入される事態を一層確実に回避することができる。
【００４０】
また、このディスクカートリッジ１によれば、端部領域Ａ２における挿入方向に対する中央部に位置する領域（中央部領域Ａｂ）に誤挿入防止用凸部２１を形成したことにより、ディスクカートリッジ１の挿入時にある程度押し込んだ状態において誤挿入防止用凸部２１が案内部６１ｘに当接するため、挿入方向や挿入姿勢の誤りに起因してディスクカートリッジ１を挿入できないのではなく、記録再生が不可のディスクカートリッジを挿入したことを認識させることができる。
【００４１】
さらに、このディスクカートリッジ１によれば、幅方向に沿って長い平面視長方形形状となるように誤挿入防止用凸部２１を構成したことにより、記録再生装置毎に案内部６１ｘの形状や押さえ６２ｘの位置等が僅かに相違していたとしても、ディスクカートリッジ１の挿入時に誤挿入防止用凸部２１を押さえ６２ｘに対して確実に当接させることができる。したがって、ディスクカートリッジ１の誤挿入を確実に回避することができる。また、ディスクカートリッジ１の外観を見ただけでディスクカートリッジ１ｘとは相違するタイプの情報媒体であることを認識させることができる。
【００４２】
なお、本発明は、上記した構成に限定されない。例えば、上記のディスクカートリッジ１では、上シェル４の端部領域Ａ２における挿入方向の中央部領域Ａｂに誤挿入防止用凸部２１を形成しているが、図３に破線で示すように、上シェル４の端部領域Ａ２における挿入方向に対して先端部側に位置する先端側領域Ａａに誤挿入防止用凸部２１Ａを形成することもできる。このように、先端側領域Ａａに誤挿入防止用凸部２１Ａを形成したディスクカートリッジ１によれば、ディスクカートリッジ１を記録再生装置に挿入しようとしたときに、挿入直後に誤挿入防止用凸部２１が案内部６１ｘに当接する結果、中央部領域Ａｂや後端側領域Ａｃに誤挿入防止用凸部２１を形成した構成と比較していち早く誤挿入を認識させることができる。
【００４３】
また、上シェル４の端部領域Ａ２のうちの一方に誤挿入防止用凸部２１（２１Ａ）を形成した例について説明したが、例えば図３に破線で示すように、誤挿入防止用凸部２１（または誤挿入防止用凸部２１Ａ）とは逆側の端部領域Ａ２にも誤挿入防止用凸部２１Ｂ（または誤挿入防止用凸部２１Ｃ）を形成することができる。さらに、本発明における誤挿入防止用凸部２１の形状は、幅方向に長いリブ状に限定されず、円柱状、角柱状、円錐状および角錐状等の各種の形状を採用することができる。
【００４４】
また、本発明におけるディスク状情報媒体としては、上記した書き換え型の光ディスク９に限定されず、再生専用タイプの光ディスクや、追記型の光ディスクなどの各種の光ディスクが含まれるばかりでなく、光磁気ディスクや磁気ディスクも含まれる。また、上記したディスクカートリッジ１では、別個独立した下シェル本体１１ａ，１１ｂを有する下シェル３を備えてカートリッジ本体２が構成されているが、本発明はこれに限定されず、例えば、図８に示すディスクカートリッジ１Ａのように、ディスクカートリッジ１における下シェル３に代えて、連結部１１ｃ，１１ｄによって下シェル本体１１ａ，１１ｂを一体的に連結した下シェル３Ａを採用してカートリッジ本体２Ａを構成することもできる。
【００４５】
さらに、ディスクアクセス用の開口部の開口形状は、上記の例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい（図示せず）。この場合、本発明に係るディスクカートリッジとしては、２つの光学ヘッドを同時に用いた記録再生が可能なタイプに限定されず、単一の光学ヘッドを用いた記録再生が可能な開口部を下シェル３に形成したタイプのディスクカートリッジが含まれる（図示せず）。
【図面の簡単な説明】
【００４６】
【図１】ディスクカートリッジ１の外観斜視図である。
【図２】ディスクカートリッジ１の正面図である。
【図３】上シェル４側から見たディスクカートリッジ１の平面図である。
【図４】ディスクカートリッジ１ｘのみに対応している記録再生装置にディスクカートリッジ１ｘを挿入した状態の記録再生装置の断面図およびディスクカートリッジ１ｘの正面図である。
【図５】ディスクカートリッジ１ｘのみに対応している記録再生装置にディスクカートリッジ１を挿入しようとしている状態の記録再生装置の断面図およびディスクカートリッジ１の正面図である。
【図６】ディスクカートリッジ１，１ｘの双方に対応している記録再生装置にディスクカートリッジ１を挿入した状態の記録再生装置の断面図およびディスクカートリッジ１の正面図である。
【図７】ディスクカートリッジ１，１ｘの双方に対応している記録再生装置にディスクカートリッジ１ｘを挿入した状態の記録再生装置の断面図およびディスクカートリッジ１ｘの正面図である。
【図８】ディスクカートリッジ１Ａの外観斜視図である。
【符号の説明】
【００４７】
１，１Ａ  ディスクカートリッジ
２，２Ａ  カートリッジ本体
３，３Ａ  下シェル
４  上シェル
９  光ディスク
２１，２１Ａ〜２１Ｃ  誤挿入防止用凸部
５１，６１ｘ  案内部
５２，６２ｘ  押さえ
５２ａ  逃げ
Ａ１  中央部領域
Ａ１ａ，Ａ１ｂ  領域
Ａ２  端部領域
Ａ２ａ  縁部領域
Ａａ  先端側領域
Ａｂ  中央部領域
Ａｃ  後端側領域
【図１】
2007265501.tif 000003
【図２】
2007265501.tif 000004
【図３】
2007265501.tif 000005
【図４】
2007265501.tif 000006
【図５】
2007265501.tif 000007
【図６】
2007265501.tif 000008
【図７】
2007265501.tif 000009
【図８】
2007265501.tif 000010